(57)【要約】      （修正有）【課題】浄化用フィルターの逆洗も容易に行え、しかも、逆洗時に発生する汚物を汚水から回収する機構を備えた汚水浄化装置を提供する。【解決手段】容器１１に貯留された汚水を汲み出すポンプ１２の吐出口に三方弁１３を介して接続され、浄化時にポンプ１２に連通する第１の配管通路１４と、これに接続され、内部に交換可能な浄化用フィルター１５を備え、供給された汚水が浄化用フィルター１５の一次側に供給されるタンク１６とを備える。また、浄化用フィルター１５の二次側に接続され浄化された汚水を、容器１１に戻す第２の配管通路１９と、三方弁１３に接続され、逆洗時にポンプ１２に連通し、浄化用フィルター１５の二次側に汚水を供給する第３の配管通路と、タンク１６に接続され、逆洗時に浄化用フィルター１５の一次側に発生する汚物を、排水用フィルター２３に送り、更に排水用フィルター２３を通った汚水を容器１１に戻す第４の配管通路とを有する。【選択図】図１
0003169267.tif 000002
【実用新案登録請求の範囲】
【請求項１】
容器に貯留された汚水を汲み出すポンプと、
前記ポンプの吐出口に三方弁を介して接続され、浄化時に前記ポンプに連通する第１の配管通路と、
前記第１の配管通路に接続され、内部に交換可能な浄化用フィルターを備え、前記第１の配管通路から供給された汚水が前記浄化用フィルターの一次側に供給されるタンクと、
前記浄化用フィルターの二次側に接続され、前記浄化用フィルターによって浄化された汚水を、浄化時に開く第１の仕切り弁を介して、前記容器に戻す第２の配管通路と、
前記三方弁に接続され、逆洗時に前記ポンプに連通し、前記浄化用フィルターの二次側に前記容器から汲み出された汚水を供給する第３の配管通路と、
前記タンクに接続され、逆洗時に前記浄化用フィルターの一次側に発生する汚物を、逆洗時に開く第２の仕切り弁を介して、排水用フィルターに送り、更に該排水用フィルターを通った汚水を前記容器に戻す第４の配管通路とを有することを特徴とする汚水浄化装置。
【請求項２】
請求項１記載の汚水浄化装置において、前記タンクには第１の圧力スイッチが設けられ、前記浄化用フィルターの一次側の圧力を検知し、前記浄化用フィルターの目詰まり状況を監視していることを特徴とする汚水浄化装置。
【請求項３】
請求項１又は２記載の汚水浄化装置において、前記ポンプの吐出側には第２の圧力スイッチが設けられて、前記ポンプの運転状況を監視していることを特徴とする汚水浄化装置。
【請求項４】
請求項１〜３のいずれか１記載の汚水浄化装置において、前記タンクには並列に接続された複数の前記浄化用フィルターを有することを特徴とする汚水浄化装置。
【考案の詳細な説明】
【技術分野】
【０００１】
本考案は、印刷に使用される湿し水、生活用水、水槽の水等を浄化する汚水浄化装置に関する。
【背景技術】
【０００２】
特許文献１には、オフセット印刷に使用される湿し水を浄化するオフセット印刷用湿し水浄化装置が提案されている。この装置は、入り口及び出口を備え、入り口から湿し水を受け入れ、出口から湿し水を排出するインキ分離槽と、インキ分離槽内の湿し水の水面に浮上したインキを湿し水から分離するインキ除去手段とを有している。
【０００３】
ところが、このオフセット印刷用湿し水浄化装置では、湿し水中に混入したゴミや汚れ等は除去できないので、浄化用フィルターを用いた汚水浄化装置も提案され、容器に溜めた汚水をポンプで汲み上げ、浄化用フィルターの一次側に送って汚水を浄化した後、浄化用フィルターの二次側から浄化された汚水を取り出して、容器に戻していた。
【先行技術文献】
【特許文献】
【０００４】
【特許文献１】特開２００５−２３８４４８号公報
【考案の概要】
【考案が解決しようとする課題】
【０００５】
しかしながら、浄化用フィルターは使用によって詰まるので、定期的に交換するか、洗浄する必要がある。そこで、ポンプから送られる汚水を、浄化用フィルターの二次側から送れば、浄化用フィルターの逆洗が可能であるが、この場合、浄化用フィルターに付着していた汚物が、再度容器内に戻るという問題があった。
【０００６】
本考案は、かかる事情に鑑みてなされたもので、浄化用フィルターの逆洗も容易に行え、しかも、逆洗時に発生する汚物を汚水から回収する機構を備えた汚水浄化装置を提供することを目的とする。
【課題を解決するための手段】
【０００７】
前記目的に沿う本考案に係る汚水浄化装置は、容器に貯留された汚水を汲み出すポンプと、前記ポンプの吐出口に三方弁を介して接続され、浄化時に前記ポンプに連通する第１の配管通路と、前記第１の配管通路に接続され、内部に交換可能な浄化用フィルターを備え、前記第１の配管通路から供給された汚水が前記浄化用フィルターの一次側に供給されるタンクと、前記浄化用フィルターの二次側に接続され、前記浄化用フィルターによって浄化された汚水を、浄化時に開く第１の仕切り弁を介して、前記容器に戻す第２の配管通路と、前記三方弁に接続され、逆洗時に前記ポンプに連通し、前記浄化用フィルターの二次側に前記容器から汲み出された汚水を供給する第３の配管通路と、前記タンクに接続され、逆洗時に前記浄化用フィルターの一次側に発生する汚物を、逆洗時に開く第２の仕切り弁を介して、排水用フィルターに送り、更に該排水用フィルターを通った汚水を前記容器に戻す第４の配管通路とを有する。
【０００８】
ここで、本考案の汚水浄化装置において、前記タンクには第１の圧力スイッチが設けられ、前記浄化用フィルターの一次側の圧力を検知し、前記浄化用フィルターの目詰まり状況を監視しているのが好ましい。
【０００９】
本考案の汚水浄化装置において、前記ポンプの吐出側には第２の圧力スイッチが設けられて、前記ポンプの運転状況を監視しているのが好ましい。
【００１０】
そして、本考案の汚水浄化装置において、前記タンクには並列に接続された複数の前記浄化用フィルターを有するのが好ましい。
【考案の効果】
【００１１】
本考案の汚水浄化装置において、浄化用フィルターに汚水を送るポンプを利用して、浄化用フィルターの逆洗を行うと共に、逆洗時に発生する汚物は排水用フィルターが回収するようにしているので、逆洗時においても、汚物で汚水を汚さないで、容器に戻すことができる。
これによって、水の浄化を継続的に行うことができる。
【図面の簡単な説明】
【００１２】
【図１】本考案の一実施の形態に係る汚水浄化装置の浄化時の流水回路図である。
【図２】同汚水浄化装置の逆洗時の流水回路図である。
【図３】同汚水浄化装置の正面図である。
【図４】同汚水浄化装置の側面図である。
【図５】（Ａ）、（Ｂ）はそれぞれ同汚水浄化装置の斜視図である。
【考案を実施するための形態】
【００１３】
続いて、添付した図面を参照しながら、本考案を具体化した実施の形態について説明する。
図１〜図５に示すように、本考案の一実施の形態に係る汚水浄化装置１０は、容器（水槽、池を含む）１１に貯留された汚水を汲み出すポンプ１２と、ポンプ１２の吐出口に三方弁１３を介して接続され、浄化時にポンプ１２に連通する第１の配管通路１４と、第１の配管通路１４に接続され、内部に交換可能な浄化用フィルター１５を備え、第１の配管通路１４から供給された汚水を浄化用フィルター１５の一次側に供給するタンク１６とを有している。
【００１４】
また、浄化用フィルター１５の二次側に接続され、浄化用フィルター１５によって浄化された汚水を、浄化時に開く第１の仕切り弁１８を介して、容器１１に戻す第２の配管通路１９とを有している。
【００１５】
そして、三方弁１３に接続され、逆洗時にポンプ１２に連通し、浄化用フィルター１５の二次側に汚水を供給する第３の配管通路２０と、タンク１６に接続され、逆洗時に浄化用フィルター１５の一次側に発生する汚物を、逆洗時に開く第２の仕切り弁２２を介して、排水用フィルター２３に送り、更に排水用フィルター２３を通った汚水を容器１１に戻す第４の配管通路２５と、これらの電気的制御を行う図示しない制御装置とを有している。
なお、排水用フィルター２３は受け容器２６に収納されている。制御装置には、この汚水浄化装置１０の電気的制御を行う回路が設けられている。
【００１６】
タンク１６は密閉構造となって、内部に並列に接続された４つの浄化用フィルター１５が設けられている。これらの浄化用フィルター１５はタンク１６の蓋２７に取付けられてその交換が容易にできる構造となっている。なお、タンク１６の外側には、カバー２８が設けられ、図３〜図５（Ａ）、（Ｂ）に示すように、内部のタンク１６が見えない構造となっている。蓋２７はカバー２８の上部から露出している。
【００１７】
タンク１６には第１の圧力スイッチ２９が設けられ、内部の圧力（即ち、浄化用フィルター１５の一次側の圧力）を監視し、浄化用フィルター１５の目詰まりを検知できる構造となっている。
タンク１６の上部位置でカバー２８の内部には、モータ駆動のポンプ１２が設けられ、ポンプ１２の吐出側には第２の圧力スイッチ３０が設けられて、ポンプ１２の運転状況を監視して、ポンプ１２の異常を検知できる構造となっている。
【００１８】
カバー２８の底部に図示しない架台を有し、架台の周囲底部にはキャスター３２が設けられている。カバー２８の正面側には、電源ランプ３３、表示灯付き電源スイッチ３４、異常状態が発生した場合に復帰動作を行うリセットスイッチ３５が配置されている。また、第２の圧力スイッチ３０によって検知したポンプ１２の異常と、第１の圧力スイッチ２９によって検知した浄化用フィルター１５の異常をそれぞれ示す警告灯３７、３８も設けられている。
【００１９】
架台には支持部材４０を介して受け容器２６が固定され、この受け容器２６はカバー２８より高い位置にある。
また、タンク１６の上部にはエア抜き用の弁３９が設けられていると共に、これに配管を介して接続されるエア抜き接続口４９がカバー２８の下部に設けられている。また、必要な場合、タンク１６内の汚水を除去する図示しないドレーンも設けられている。
この汚水浄化装置１０の下部位置（即ち、カバー２８の下部）には、容器１１に接続する吸水口４１、排水口４２と、排水用フィルター２３が備えられた受け容器２６に逆洗に使用された汚水を送る管の接続口４３が設けられている。なお、符号５０は、常時開放している仕切り弁である。
【００２０】
受け容器２６には接続口４３からの汚水を受ける汚水口４４と排水用フィルター２３で濾過された汚水を容器１１に戻す排水口４５を有している。
なお、この汚水浄化装置１０の正面側には、第１、第２の圧力スイッチ２９、３０の動作圧力をデジタルで変えるディスプレイ付きの制御部４７、４８が設けられ、第１、第２の圧力スイッチ２９、３０の動作圧力を変更できる構造となっている。
【００２１】
続いて、この汚水浄化装置１０の動作について説明する。
容器１１内の汚水を浄化する場合には、表示灯付き電源スイッチ３４をオンにすると、図１に示すように、３方弁１３を正側（即ち浄化側）にし、第１の仕切り弁１８を開にし、第２の仕切り弁２２が閉になる。この状態で、ポンプ１２が作動し、容器１１から汚水が汲み上げられ、３方弁１３及びこれに接続される第１の配管通路１４を介してタンク１６内に汚水が供給される。
【００２２】
タンク１６内には筒状の浄化用フィルター１５が配置され、この筒状の浄化用フィルター１５の外側から内側に汚水が流れることで、汚水中に含まれる汚物やゴミが浄化用フィルター１５で回収される。浄化用フィルター１５を通った汚水は途中に第１の仕切り弁１８を有する第２の配管通路１９を通じて、容器１１に戻される。このような汚水の循環を行って、汚水の浄化が行われる。
【００２３】
汚水の浄化を長時間行うと、浄化用フィルター１５が詰まることになる。この場合は第１の圧力スイッチ２９で検知して、所定の圧力以上になると警告を発し、ポンプ１２の停止及び、警告灯３８を点燈する。そして、自動的に第１の仕切り弁１８が閉となり、第２の仕切り弁２２が開となり、三方弁１３が逆側（即ち、逆洗側）に切り替わる。
【００２４】
この状態で、ポンプ１２を作動し、容器１１からの汚水が、図２に示すように、三方弁１３及び第３の配管通路２０を介して筒状の浄化用フィルター１５の内側（即ち、二次側）に送り込まれ、浄化用フィルター１５の逆洗が開始される。これによって、浄化用フィルター１５の外側（即ち、一次側）に付着した汚物が除去され、タンク１６内に漂い、第２の仕切り弁２２を有する第４の配管通路２５を介して、排水用フィルター２３を有する受け容器２６に送られる。
【００２５】
受け容器２６で排水用フィルター２３によって汚物が除去された汚水が底部から排出され、容器１１に戻る。この状態を繰り返すことで、浄化用フィルター１５の洗浄が行われると共に、排水用フィルター２３で汚水の浄化も行われる。従って、容器１１内の汚水が浄化用フィルター１５によって回収された汚物によって汚されることがない。
【００２６】
本考案は前記した実施の形態に限定されるものではなく、本考案の要旨を変更しない範囲でその構成を変更することもできる。
なお、前記実施の形態においては、第１の圧力スイッチ２９が作動したこと、即ち浄化用フィルター１５の目詰まりを検知したことによって、逆洗を自動的に開始するようにしているが、手動操作で逆洗を開始しても本考案は適用される。
【符号の説明】
【００２７】
１０：汚水浄化装置、１１：容器、１２：ポンプ、１３：三方弁、１４：第１の配管通路、１５：浄化用フィルター、１６：タンク、１８：第１の仕切り弁、１９：第２の配管通路、２０：第３の配管通路、２２：第２の仕切り弁、２３：排水用フィルター、２５：第４の配管通路、２６：受け容器、２７：蓋、２８：カバー、２９：第１の圧力スイッチ、３０：第２の圧力スイッチ、３２：キャスター、３３：電源ランプ、３４：表示灯付き電源スイッチ、３５：リセットスイッチ、３７、３８：警告灯、３９：弁、４０：支持部材、４１：吸水口、４２：排水口、４３：接続口、４４：汚水口、４５：排水口、４７、４８：制御部、４９：エア抜き接続口、５０：仕切り弁
【図１】
0003169267.tif 000003
【図２】
0003169267.tif 000004
【図３】
0003169267.tif 000005
【図４】
0003169267.tif 000006
【図５】
0003169267.tif 000007